【手続補正書】
【提出日】平成28年1月8日(2016.1.8)
【手続補正１】
【補正対象書類名】明細書
【補正対象項目名】００１９
【補正方法】変更
【補正の内容】
【００１９】
本発明は、シート給送装置において、搬送ローラと、前記搬送ローラに圧接して分離ニップ部を構成し、給送されたシートを前記分離ニップ部で１枚ずつに分離して下流に送り出す分離手段と、前記分離ニップ部にシートの先端を案内するように前記分離ニップ部に向けて傾斜する傾斜ガイド面を有するニップガイド部材と、前記ニップガイド部材のガイド先端を前記搬送ローラに向けて付勢する付勢手段と、前記ガイド先端が前記搬送ローラに近接した所定距離になるように前記付勢手段の付勢力に抗して規制する規制部と、を備え、前記ニップガイド部材の回動中心を、給送されてきたシートの先端が前記傾斜ガイド面に当接する当接部位において、前記傾斜ガイド面に対し垂直で前記分離手段と反対側に延びる第１直線と、前記搬送ローラの回転中心と前記ガイド先端とを結ぶ第２直線とに挟まれた領域内に設けたことを特徴とする。
本発明は、シート給送装置において、搬送ローラと、前記搬送ローラに圧接して分離ニップ部を構成し、給送されてきたシートを前記分離ニップ部で１枚ずつに分離する分離手段と、前記分離ニップ部に向かってシートを給送する給送部材と、前記給送部材から給送されたシートの先端と接触する第１の案内部と、前記搬送ローラと対向する位置に位置し前記第１の案内部に接触したシートを前記分離ニップ部に案内する第２の案内部と、を有するニップガイド部材と、前記ニップガイド部材を付勢する付勢部材と、を備え、前記ニップガイド部材は、回動軸を中心に回動可能であり、前記第２の案内部は、前記搬送ローラに対して所定距離離れた位置に位置し、前記給送部材から給送されるシート束の厚みが前記所定距離よりも大きい場合、前記ニップガイド部材は、前記シート束を介して前記搬送ローラと前記第２の案内部で発生する力を利用して、前記付勢部材の付勢力に抗して前記搬送ローラから離れる方向に移動することを特徴とする。
【手続補正２】
【補正対象書類名】特許請求の範囲
【補正対象項目名】全文
【補正方法】変更
【補正の内容】
【特許請求の範囲】
【請求項１】
搬送ローラと、
前記搬送ローラに圧接して分離ニップ部を構成し、給送されてきたシートを前記分離ニップ部で１枚ずつに分離する分離手段と、
ガイド先端が前記搬送ローラと所定距離離れた位置で前記搬送ローラに向けて付勢され、前記分離ニップ部にシートの先端を案内するように傾斜する傾斜ガイド面を有するニップガイド部材と、
前記傾斜ガイド面に突入したシート束の厚みが前記搬送ローラと前記ガイド先端との間の前記所定距離より薄い場合には前記ニップガイド部材を前記搬送ローラから離れる方向に移動しないように支持し、前記厚みが前記所定距離より厚い場合には前記搬送ローラから離れる方向に移動可能となるように支持する支持手段と、を備える、
ことを特徴とするシート給送装置。
【請求項２】
前記支持手段は、前記ニップガイド部材を回動自在に支持する回動軸を備え、
前記回動軸の回動中心は、
給送されてきたシートの先端が前記傾斜ガイド面に当接する当接部位において、前記傾斜ガイド面に対し垂直で前記搬送ローラと反対側に延びる第１直線と、前記搬送ローラの回転中心と前記ガイド先端とを結ぶ第２直線とに挟まれた領域内に設けられている、
ことを特徴とする請求項１に記載のシート給送装置。
【請求項３】
前記支持手段は、前記ニップガイド部材を回動自在に支持する回動軸を備え、
前記回動軸の回動中心は、
給送されてきたシートの先端が前記傾斜ガイド面に当接する当接部位において、前記傾斜ガイド面に対し垂直に延びる第１直線と、前記搬送ローラの回転中心と前記ガイド先端とを結ぶ第２直線とに挟まれた領域内に設けられている、
ことを特徴とする請求項１に記載のシート給送装置。
【請求項４】
前記搬送ローラの前記回転中心が位置する前記領域は、前記第１直線上を含み、且つ前記第２直線上を含まない、
ことを特徴とする請求項２又は３に記載のシート給送装置。
【請求項５】
前記ニップガイド部材は、前記支持手段によりスライド移動可能に支持され、
前記ニップガイド部材のスライド方向は、
給送されてきたシートの先端が前記傾斜ガイド面に当接する当接位置においての、前記傾斜ガイド面に対し垂直に延びる第１直線と、前記搬送ローラの回転中心と前記ガイド先端とを結ぶ第２直線とに挟まれた領域内での、無限遠に回動中心を持つ仮想円弧の近似直線の方向と一致する、
ことを特徴とする請求項１に記載のシート給送装置。
【請求項６】
無限遠の前記回動中心が位置する前記領域は、前記第１直線上を含み、且つ前記第２直線上を含まない、
ことを特徴とする請求項５に記載のシート給送装置。
【請求項７】
給送されるシートを複数枚積載可能で、積載シートの給送方向先端を規制する規制壁面を有するシート収納部を備え、
前記規制壁面は、前記ニップガイド部材よりも前記シート収納部内のシートに近い側に配置される、
ことを特徴とする請求項１乃至６の何れか１項に記載のシート給送装置。
【請求項８】
搬送ローラと、
前記搬送ローラに圧接して分離ニップ部を構成し、給送されたシートを前記分離ニップ部で１枚ずつに分離して下流に送り出す分離手段と、
前記分離ニップ部にシートの先端を案内するように前記分離ニップ部に向けて傾斜する傾斜ガイド面を有するニップガイド部材と、
前記ニップガイド部材のガイド先端を前記搬送ローラに向けて付勢する付勢手段と、
前記ガイド先端が前記搬送ローラに近接した所定距離になるように前記付勢手段の付勢力に抗して規制する規制部と、を備え、
前記ニップガイド部材の回動中心を、
給送されてきたシートの先端が前記傾斜ガイド面に当接する当接部位において、前記傾斜ガイド面に対し垂直で前記搬送ローラと反対側に延びる第１直線と、前記搬送ローラの回転中心と前記ガイド先端とを結ぶ第２直線とに挟まれた領域内に設けた、
ことを特徴とするシート給送装置。
【請求項９】
前記ニップガイド部材の回動中心は、前記分離ニップ部よりも下方に配置される、
ことを特徴とする請求項８に記載のシート給送装置。
【請求項１０】
搬送ローラと、
前記搬送ローラに圧接して分離ニップ部を構成し、給送されたシートを前記分離ニップ部で１枚ずつに分離して下流に送り出す分離手段と、
前記分離ニップ部にシートの先端を案内するように前記分離ニップ部に向けて傾斜する傾斜ガイド面を有するニップガイド部材と、
前記ニップガイド部材のガイド先端を前記搬送ローラに向けて付勢する付勢手段と、
前記ガイド先端が前記搬送ローラに近接した所定距離になるように前記付勢手段の付勢力に抗して規制する規制部と、を備え、
前記ニップガイド部材の回動中心を、
給送されてきたシートの先端が前記傾斜ガイド面に当接する当接部位において、前記傾斜ガイド面に対し垂直で前記分離手段と反対側に延びる第１直線と、前記搬送ローラの回転中心と前記ガイド先端とを結ぶ第２直線とに挟まれた領域内に設けた、
ことを特徴とするシート給送装置。
【請求項１１】
前記ニップガイド部材の回動中心は、前記分離ニップ部よりも上方に配置される、
ことを特徴とする請求項１０に記載のシート給送装置。
【請求項１２】
前記搬送ローラの前記回転中心が位置する前記領域は、前記第１直線上を含み、且つ前記第２直線上を含まない、
ことを特徴とする請求項８乃至１１の何れか１項に記載のシート給送装置。
【請求項１３】
請求項１乃至１２の何れか１項に記載のシート給送装置と、
前記シート給送装置から送り出されたシートに画像を形成する画像形成手段と、を備える、
ことを特徴とする画像形成装置。
【請求項１４】
搬送ローラと、
前記搬送ローラに圧接して分離ニップ部を構成し、給送されてきたシートを前記分離ニップ部で１枚ずつに分離する分離手段と、
前記分離ニップ部に向かってシートを給送する給送部材と、
前記給送部材から給送されたシートの先端と接触する第１の案内部と、前記搬送ローラと対向する位置に位置し前記第１の案内部に接触したシートを前記分離ニップ部に案内する第２の案内部と、を有するニップガイド部材と、
前記ニップガイド部材を付勢する付勢部材と、を備え、
前記ニップガイド部材は、回動軸を中心に回動可能であり、前記第２の案内部は、前記搬送ローラに対して所定距離離れた位置に位置し、前記給送部材から給送されるシート束の厚みが前記所定距離よりも大きい場合、前記ニップガイド部材は、前記シート束を介して前記搬送ローラと前記第２の案内部で発生する力を利用して、前記付勢部材の付勢力に抗して前記搬送ローラから離れる方向に移動する、
ことを特徴とするシート給送装置。